(57)【要約】【課題】電気ケーブルに何らかの外力が加わったとしても、基板等の接続部には直接加わらない構造とした画像形成装置を提供する。【解決手段】第２装置から導出された電気ケーブル５０に設けられたケーブル側コネクタ５１ａが、第１装置２の基板側コネクタ６１ｂに接続される構成において、第１装置２に設けられ、ケーブル側コネクタ５１ａを第１装置２の外部から基板側コネクタ６１ｂに接続可能な開口部３０と、開口部３０を閉塞する蓋体４０と、蓋体４０の辺縁部に設けられ、開口部３０と係脱自在に係合する係合部（例えば、フック４２）と、電気ケーブル５０を第１装置２の外部へ導出する導出部（例えば、蓋体側導出部４４）と、電気ケーブル５０に取り付けられた取付部材４１とを備えている。【選択図】図７
2020061566.tif 000002
【特許請求の範囲】
【請求項１】
第１装置と第２装置とを備え、前記第２装置から導出された電気ケーブルの前記第１装置側に設けられたケーブル側コネクタが、前記第１装置に設けられた第１装置側コネクタに接続される画像形成装置であって、
前記第１装置に設けられ、前記ケーブル側コネクタを前記第１装置の外部から前記第１装置側コネクタに接続可能な開口部と、
前記開口部を閉塞する蓋体と、
前記蓋体に設けられ、前記蓋体を前記第１装置に固定する固定部と、
前記蓋体に設けられ、前記開口部と係脱自在に係合する係合部と、
前記蓋体に設けられ、前記電気ケーブルを前記第１装置の外部へ導出する導出部と、
前記電気ケーブルに取り付けられた取付部材とを備え、
前記電気ケーブルは、前記取付部材と前記蓋体とによって移動が制限され、
前記導出部は、前記係合部よりも前記固定部寄りに設けられていること
を特徴とする画像形成装置。
【請求項２】
第１装置と第２装置とを備え、前記第２装置から導出された電気ケーブルの前記第１装置側に設けられたケーブル側コネクタが、前記第１装置に設けられた第１装置側コネクタに接続される画像形成装置であって、
前記第１装置に設けられ、前記ケーブル側コネクタを前記第１装置の外部から前記第１装置側コネクタに接続可能な開口部と、
前記開口部を閉塞する蓋体と、
前記蓋体に設けられ、前記蓋体を前記第１装置に固定する固定部と、
前記蓋体に設けられ、前記開口部と係脱自在に係合する係合部と、
前記電気ケーブルを前記第１装置の外部へ導出する導出部と、
前記電気ケーブルに取り付けられた取付部材とを備え、
前記電気ケーブルは、前記取付部材と前記蓋体とによって移動が制限され、
前記電気ケーブルは、前記蓋体のうち、前記係合部より前記固定部寄りの縁部から外部に導出されていること
を特徴とする画像形成装置。
【請求項３】
請求項２に記載の画像形成装置であって、
前記導出部は、前記蓋体または前記開口部に設けられていること
を特徴とする画像形成装置。
【請求項４】
請求項１から請求項３までのいずれか１つに記載の画像形成装置であって、
前記取付部材は、前記蓋体で前記開口部を閉塞したとき、前記第１装置側コネクタよりも前記導出部寄りに取り付けられていること
を特徴とする画像形成装置。
【請求項５】
請求項１から請求項４までのいずれか１つに記載の画像形成装置であって、
前記蓋体は、前記蓋体の１つの辺縁部側に設けられた前記開口部の辺縁部側に係脱自在に係合する係合部と、前記蓋体の１つの辺縁部側に対する他方の辺縁部側に設けられた前記固定部とによって、前記開口部に取り付け自在に構成されていること
を特徴とする画像形成装置。
【請求項６】
請求項５に記載の画像形成装置であって、
前記取付部材は、前記蓋体で前記開口部を閉塞したとき、前記係合部よりも前記固定部寄りに取り付けられていること
を特徴とする画像形成装置。
【請求項７】
請求項１から請求項６までのいずれか１つに記載の画像形成装置であって、
前記取付部材は、前記蓋体の裏面において前記係合部と前記固定部との間に取り付けられていること
を特徴とする画像形成装置。
【請求項８】
請求項１から請求項７までのいずれか１つに記載の画像形成装置であって、
前記固定部は、前記電気ケーブルを跨いで両側を固定する構造とされていること
を特徴とする画像形成装置。
【請求項９】
請求項１から請求項８までのいずれか１つに記載の画像形成装置であって、
前記蓋体の前記導出部と前記取付部材との間に、前記電気ケーブルの配線位置を決める位置決め部が設けられていること
を特徴とする画像形成装置。
【請求項１０】
請求項１から請求項９までのいずれか１つに記載の画像形成装置であって、
前記取付部材は、前記電気ケーブルに取り付けられた樹脂バンドであること
を特徴とする画像形成装置。
【請求項１１】
請求項１から請求項１０までのいずれか１つに記載の画像形成装置であって、
前記蓋体は、前記開口部内のフレームに形成された固定孔に前記固定部が対向配置されて固定されること
を特徴とする画像形成装置。
【請求項１２】
請求項１から請求項１１までのいずれか１つに記載の画像形成装置であって、
前記電気ケーブルの先端には、複数のケーブル側コネクタとアース端子とが設けられていること
を特徴とする画像形成装置。
【請求項１３】
請求項１から請求項１２までのいずれか１つに記載の画像形成装置であって、
前記第２装置の前記電気ケーブルの導出位置と前記第１装置の前記開口部とが上下に対峙しており、前記電気ケーブルは前記第２装置側から前記第１装置側に円弧を描くように引き回されていること
を特徴とする画像形成装置。
【請求項１４】
請求項１から請求項１３までのいずれか１つに記載の画像形成装置であって、
前記第１装置の筐体は、前記開口部に対して前記第２装置と反対側に設けられ、取り外し可能な背面板を備えていること
を特徴とする画像形成装置。
【請求項１５】
請求項１から請求項１４までのいずれか１つに記載の画像形成装置であって、
前記電気ケーブルは、前記第１装置の幅方向における前記蓋体の一方の辺縁部側から導出されること
を特徴とする画像形成装置。
【請求項１６】
請求項１から請求項１５までのいずれか１つに記載の画像形成装置であって、
前記第１装置および前記第２装置のうち、どちらか一方が画像形成部とスキャナ部とを少なくとも備えた画像形成装置本体であり、他方が自動原稿送り装置であること
を特徴とする画像形成装置。
【発明の詳細な説明】
【技術分野】
【０００１】
本発明は、第１装置と第２装置とを備え、第２装置から延設された電気ケーブルの先端に設けられたケーブル側コネクタが、第１装置に設けられた基板側コネクタに接続される構成の画像形成装置に関する。
【背景技術】
【０００２】
従来、画像形成装置は、画像形成部とスキャナ部と用紙搬送部とを備えた画像形成装置本体の上に自動原稿送り装置が搭載されており、自動原稿送り装置から導出された電気ケーブルの先端部に設けられているケーブル側コネクタを、画像形成装置本体に搭載されている回路基板に設けられている基板側コネクタに接続することで、一体に形成されている。
【０００３】
このような構成の画像形成装置では、自動原稿送り装置を画像形成装置本体から取り外す場合、従来は画像形成装置本体の背面板を取り外してから、電気ケーブルのケーブル側コネクタを基板側コネクタから抜くという作業を行っていた。また、画像形成装置本体に自動原稿送り装置を取り付ける場合にも、画像形成装置本体の背面板を取り外してから、原稿読み取り装置の電気ケーブルのケーブル側コネクタを基板側コネクタに接続し、その後、背面板を画像形成装置本体の背面に取り付けるという作業を行っていた。
【０００４】
このような作業は、工場生産時であれば特に問題となることはないが、例えば出荷後に設置現場で自動原稿送り装置を交換等する場合には、背面板を取り外しできるスペースが必要となり、このようなスペースが無い場所では、非常に煩雑な作業となっていた。そのため、自動原稿送り装置の取り付けや取り外しが簡単に行える構造が求められていた。
【０００５】
また、電気ケーブルの接続装置は、外力として引っ張り強さ１０ｋｇｆに耐え得るような接続構造とする必要があるため、強度の面でも対応が求められていた。
【０００６】
電気ケーブルの接続装置の一例として、特許文献１に記載の電気ケーブル取り付け装置が開示されている。
【０００７】
この電気ケーブル取り付け装置は、本体ユニットに一端をヒンジユニットによって開閉可能に連結した原稿自動供給ユニットと本体ユニットとを電気的に連結するために、本体ユニットからの電気ケーブルを原稿自動供給ユニットに接続する構成とされており、電気ケーブルを原稿自動供給ユニットに設けられた基板上のコネクタに接続し、電気ケーブルを該基板に束線バンドによって固定する構造とされている。
【０００８】
この特許文献１記載の電気ケーブル取り付け装置によれば、電気ケーブルと基板との組み立てが容易となる。
【先行技術文献】
【特許文献】
【０００９】
【特許文献１】特開２００３−５１６８３号公報
【発明の概要】
【発明が解決しようとする課題】
【００１０】
しかし、特許文献１記載の電気ケーブル取り付け装置では、電気ケーブルを基板に固定しているため、何らかの外力が電気ケーブルに加わると基板も破損する可能性があり、強度面での課題は依然として残ったままである。
【００１１】
本発明はかかる問題点を解決すべく創案されたもので、その目的は、電気ケーブルに何らかの外力が加わったとしても、基板等の接続部には直接加わらない構造とした画像形成装置を提供することにある。
【課題を解決するための手段】
【００１２】
本発明に係る画像形成装置は、第１装置と第２装置とを備え、前記第２装置から導出された電気ケーブルの前記第１装置側に設けられたケーブル側コネクタが、前記第１装置に設けられた第１装置側コネクタに接続される画像形成装置であって、前記第１装置に設けられ、前記ケーブル側コネクタを前記第１装置の外部から前記第１装置側コネクタに接続可能な開口部と、前記開口部を閉塞する蓋体と、前記蓋体に設けられ、前記蓋体を前記第１装置に固定する固定部と、前記蓋体に設けられ、前記開口部と係脱自在に係合する係合部と、前記蓋体に設けられ、前記電気ケーブルを前記第１装置の外部へ導出する導出部と、前記電気ケーブルに取り付けられた取付部材とを備え、前記電気ケーブルは、前記取付部材と前記蓋体とによって移動が制限され、前記導出部は、前記係合部よりも前記固定部寄りに設けられていることを特徴とする。
【００１３】
本発明に係る画像形成装置は、第１装置と第２装置とを備え、前記第２装置から導出された電気ケーブルの前記第１装置側に設けられたケーブル側コネクタが、前記第１装置に設けられた第１装置側コネクタに接続される画像形成装置であって、前記第１装置に設けられ、前記ケーブル側コネクタを前記第１装置の外部から前記第１装置側コネクタに接続可能な開口部と、前記開口部を閉塞する蓋体と、前記蓋体に設けられ、前記蓋体を前記第１装置に固定する固定部と、前記蓋体に設けられ、前記開口部と係脱自在に係合する係合部と、前記電気ケーブルを前記第１装置の外部へ導出する導出部と、前記電気ケーブルに取り付けられた取付部材とを備え、前記電気ケーブルは、前記取付部材と前記蓋体とによって移動が制限され、前記電気ケーブルは、前記蓋体のうち、前記係合部より前記固定部寄りの縁部から外部に導出されていることを特徴とする。
【００１４】
本発明に係る画像形成装置では、前記導出部は、前記蓋体または前記開口部に設けられている構成としてもよい。
【００１５】
本発明に係る画像形成装置では、前記取付部材は、前記蓋体で前記開口部を閉塞したとき、前記第１装置側コネクタよりも前記導出部寄りに取り付けられている構成としてもよい。
【００１６】
本発明に係る画像形成装置では、前記蓋体は、前記蓋体の１つの辺縁部側に設けられた前記開口部の辺縁部側に係脱自在に係合する係合部と、前記蓋体の１つの辺縁部側に対する他方の辺縁部側に設けられた前記固定部とによって、前記開口部に取り付け自在に構成されていてもよい。
【００１７】
本発明に係る画像形成装置では、前記取付部材は、前記蓋体で前記開口部を閉塞したとき、前記係合部よりも前記固定部寄りに取り付けられている構成としてもよい。
【００１８】
本発明に係る画像形成装置では、前記取付部材は、前記蓋体の裏面において前記係合部と前記固定部との間に取り付けられている構成としてもよい。
【００１９】
本発明に係る画像形成装置では、前記固定部は、前記電気ケーブルを跨いで両側を固定する構造とされていてもよい。
【００２０】
本発明に係る画像形成装置では、前記蓋体の前記導出部と前記取付部材との間に、前記電気ケーブルの配線位置を決める位置決め部が設けられている構成としてもよい。
【００２１】
本発明に係る画像形成装置では、前記取付部材は、前記電気ケーブルに取り付けられた樹脂バンドである構成としてもよい。
【００２２】
本発明に係る画像形成装置では、前記蓋体は、前記開口部内のフレームに形成された固定孔に前記固定部が対向配置されて固定される構成としてもよい。
【００２３】
本発明に係る画像形成装置では、前記電気ケーブルの先端には、複数のケーブル側コネクタとアース端子とが設けられている構成としてもよい。
【００２４】
本発明に係る画像形成装置では、前記第２装置の前記電気ケーブルの導出位置と前記第１装置の前記開口部とが上下に対峙しており、前記電気ケーブルは前記第２装置側から前記第１装置側に円弧を描くように引き回されている構成としてもよい。
【００２５】
本発明に係る画像形成装置では、前記第１装置の筐体は、前記開口部に対して前記第２装置と反対側に設けられ、取り外し可能な背面板を備えている構成としてもよい。
【００２６】
本発明に係る画像形成装置では、前記電気ケーブルは、前記第１装置の幅方向における前記蓋体の一方の辺縁部側から導出される構成としてもよい。
【００２７】
本発明に係る画像形成装置では、前記第１装置および前記第２装置のうち、どちらか一方が画像形成部とスキャナ部とを少なくとも備えた画像形成装置本体であり、他方が自動原稿送り装置である構成としてもよい。
【発明の効果】
【００２８】
本発明によれば、電気ケーブルに何らかの外力が加わったとしても、その外力は取付部材に加わり、コネクタ同士の接続部には直接加わらないため、第１装置側コネクタが破損する心配がない。
【図面の簡単な説明】
【００２９】
【図１】本発明の一実施形態に係る画像形成装置の構成例を示す概略断面図である。
【図２】実施形態に係る画像形成装置の一部を拡大して示す背面図である。
【図３】電気ケーブルの先端部が取り付けられた蓋体の裏面図である。
【図４】電気ケーブルの先端部が取り付けられた蓋体の表面図である。
【図５】開口部を含む周辺の拡大図である。
【図６】開口部に蓋体を取り付ける過程を示す説明図である。
【図７】図２のＡ−Ａ線に沿う概略断面図である。
【図８】図３のＢ−Ｂ線に沿う断面図である。
【図９】樹脂バンドを用いた電気ケーブルの取付部材の参考例を示す断面図である。
【発明を実施するための形態】
【００３０】
以下、本発明の実施の形態について、図面を参照して説明する。
【００３１】
図１は、本発明の一実施形態に係る画像形成装置の構成例を示す概略断面図、図２は背面図である。
【００３２】
本実施形態の画像形成装置１は、外部から伝達された画像データ等に応じて、所定のシート（記録用紙）に対して多色及び単色の画像を形成するもので、少なくともスキャナ部２Ａと画像形成部２Ｂとを備えた画像形成装置本体（以下、単に装置本体という。）２と、自動原稿送り装置３とにより構成されている。すなわち、本実施形態では、画像形成装置本体２が請求項に記載の第１装置及び他方の装置に相当し、自動原稿送り装置３が請求項に記載の第２装置及び一方の装置に相当している。
【００３３】
自動原稿送り装置３は、装置本体２の上部の硬質透明ガラスで形成された原稿載置台４の上に自動で原稿を搬送する。また、自動原稿送り装置３は矢印Ｍ方向に回動自在に構成され、原稿載置台４の上を開放することにより原稿を手置きで置くことができるようになっている。
【００３４】
スキャナ部２Ａは、原稿載置台４上に載置された原稿、または自動原稿送り装置３で送られてきた原稿の像を、ランプユニット８３、ミラー８４〜８６、レンズユニット８７を介してＣＣＤセンサ８８で読み取り、読み取った画像データを画像形成部２Ｂに送信する。
【００３５】
画像形成部２Ｂにおいて扱われる画像データは、ブラック（Ｋ），シアン（Ｃ），マゼンタ（Ｍ），イエロー（Ｙ）の各色を用いたカラー画像に応じたものである。従って、帯電器６、現像器７、感光体ドラム（以下、感光体という。）８、クリーナユニット９は、各色に応じた４種類の潜像を形成するようにそれぞれ４個ずつ設けられ、それぞれＫ，Ｃ，Ｍ，Ｙに設定されている。
【００３６】
露光ユニット５は、帯電器６によって帯電された感光体８を、入力された画像データ等に応じて光ビームで露光することにより、感光体８の表面に、画像データに応じた静電潜像を形成する機能を有する。
【００３７】
帯電器６は、感光体８の表面を所定の電位に均一に帯電させるための帯電手段である。現像器７はそれぞれの感光体８表面に形成された静電潜像を４色（Ｙ，Ｍ，Ｃ，Ｋ）のトナーにより顕像化するものである。また、クリーナユニット９は、現像・画像転写後における感光体８上の表面に残留したトナーを、除去・回収する。
【００３８】
感光体８の上方に配置されている中間転写ベルトユニット１０は、各感光体８に接触するように設けられている中間転写体である中間転写ベルト１１に、感光体８に形成された各色のトナー像を順次的に重ねて転写することによって、カラーのトナー像（多色トナー像）を形成する機能を有している。中間転写ベルト１１は、中間転写ベルト駆動ローラ１２、中間転写ベルト従動ローラ１３及び中間転写ローラ１４により張架されて駆動される。感光体８から中間転写ベルト１１へのトナー像の転写は、中間転写ベルト１１の裏側に接触している中間転写ローラ１４によって行われる。中間転写ローラ１４には、トナー像を転写するために高電圧の転写バイアス（トナーの帯電極性（−）とは逆極性（＋）の高電圧）が印加されている。
【００３９】
上記のように、各感光体８表面で各色相に応じて顕像化された静電像は、中間転写ベルト１１で積層される。積層された画像情報は、中間転写ベルト１１の回転によって、用紙と中間転写ベルト１１との接触位置に配置される転写ローラ１５によって用紙上に転写される。このとき、中間転写ベルト１１と転写ローラ１５とは所定ニップで圧接されると共に、転写ローラ１５にはトナーを用紙に転写させるための電圧が印加される（トナーの帯電極性（−）とは逆極性（＋）の高電圧）。また、上記のように、感光体８に接触することにより中間転写ベルト１１に付着したトナー、もしくは転写ローラ１５によって用紙上に転写が行われず中間転写ベルト１１上に残存したトナーは、中間転写ベルトクリーニングユニット１６によって除去・回収される。
【００４０】
給紙カセット１７は、画像形成に使用するシートを蓄積しておくためのトレイであり、装置本体２の露光ユニット５の下側に設けられている。また、手差し給紙カセット１８にもシートを置くことができる。また、装置本体２の上方に設けられている排紙トレイ１９は、印刷済みのシートをフェイスダウンで集積するためのトレイである。
【００４１】
また、装置本体２には、給紙カセット１７及び手差し給紙カセット１８のシートを転写ローラ１５や定着ユニット２０を経由させて排紙トレイ１９に送るための用紙搬送路Ｓが設けられている。給紙カセット１７ないし手差し給紙カセット１８から排紙トレイ１９までの用紙搬送路Ｓの近傍には、ピックアップローラ２１、複数の搬送ローラ２２、レジストローラ２３、転写ローラ１５、定着ユニット２０等が配されている。
【００４２】
搬送ローラ２２は、シートの搬送を促進・補助するための小型のローラであり、用紙搬送路Ｓに沿って複数設けられている。また、ピックアップローラ２１は、給紙カセット１７や手差し給紙カセット１８の端部近傍に備えられ、給紙カセット１７や手差し給紙カセット１８からシートを１枚ずつピックアップして用紙搬送路Ｓに供給する。
【００４３】
また、レジストローラ２３は、用紙搬送路Ｓを搬送されているシートを一旦保持するものである。そして、感光体８表面のトナー像の先端とシートの先端とを合わせるタイミングでシートを転写ローラ１５に搬送する機能を有している。
【００４４】
定着ユニット２０は、ヒートローラ２４及び加圧ローラ２５でトナーをシートに熱圧着することにより、シートに転写された多色トナー像を溶融・混合・圧接し、シートに対して熱定着させる機能を有している。また、定着ユニット２０には、ヒートローラ２４を外部から加熱するための外部加熱ベルト２６が設けられている。定着ユニット２０を通過することによって未定着トナーが熱で溶融・固着されたシートは、例えば、その下流側の用紙搬送路Ｓに配された搬送ローラ２２を経て排紙トレイ１９上に排出される。
【００４５】
上記構成の画像形成装置１において、本実施形態では、装置本体２の筐体背面２ａ側の上部に蓋体４０を取り付ける開口部３０を設け、自動原稿送り装置３の背面側から外部に導出された電気ケーブル５０の先端に設けられたケーブル側コネクタを、この開口部３０を通じて装置本体２内に配置された回路基板の基板側コネクタに着脱自在に接続される構成としている。
【００４６】
以下、この電気ケーブル５０の接続装置について具体的に説明する。
【００４７】
図３ないし図７は、本実施形態に係る電気ケーブル接続装置の具体的構成を示しており、図３は、電気ケーブルの先端部が取り付けられた蓋体の裏面図、図４は、電気ケーブルの先端部が取り付けられた蓋体の表面図、図５は、開口部を含む周辺の拡大図、図６は、開口部に蓋体を取り付ける過程を示す説明図、図７は、図２のＡ−Ａ線に沿う概略断面図、図８は、図３のＢ−Ｂ線に沿う断面図である。
【００４８】
本実施形態の電気ケーブル接続装置では、自動原稿送り装置３の背面側から外部に導出された電気ケーブル５０の先端部が蓋体４０の裏面に取付部材４１（図３参照）によって取り付けられている。すなわち、電気ケーブル５０の先端部と蓋体４０とが一体に形成されている。また、電気ケーブル５０の先端には、ケーブル側コネクタ５１ａ，５１ｂとアース端子５１ｃとが設けられている。
【００４９】
蓋体４０は、横長の矩形状に形成されており、短辺側の一方の辺縁部（図３及び図４では右側の辺縁部）４０ａには、後述する開口部３０の係止用溝３２に係脱自在に係止するフック（係合部の一例）４２が設けられている。また、フック４２とは反対側の他方の辺縁部（図３及び図４では左側の辺縁部）４０ｂには、電気ケーブル５０を外部に導出するために凹状に形成された蓋体側導出部４４が設けられており、この蓋体側導出部４４近傍の蓋体４０裏面には、蓋体側導出部４４を跨ぐようにして上下２箇所に、ねじ挿通孔４５ａを有するねじ挿通用ボス（固定部の一例）４５が立設されている。
【００５０】
取付部材４１は、蓋体４０裏面において、フック４２とねじ挿通用ボス４５との間に設けられている。図３からも分かるように、取付部材４１は、フック４２よりねじ挿通用ボス４５寄りに設けられている。その構成は、図８に示すように、略Ｕ字状に形成された樹脂バンド４１ａによって電気ケーブル５０を横から挟み込み、その両先端部を合わせるようにして、両先端部に設けられたねじ挿通孔４１ｂにねじ部材７０を挿通し、蓋体４０の裏面に設けられたねじ受け部４６にねじ込むことによって、電気ケーブル５０を蓋体４０の裏面に取り付けている。ただし、取付部材４１は、このような略Ｕ字状の樹脂バンド４１ａに限定されるものではなく、例えば図９の参考例に示すように、中央部に電気ケーブル５０を押さえ込む半円弧状の押え部４１ｅ１を備えた樹脂バンド４１ｅを用い、その両端部に設けられたねじ挿通孔４１ｆにねじ部材７０を挿通し、蓋体４０の裏面に設けられたそれぞれのねじ受け部４７にねじ込むことによって、電気ケーブル５０を蓋体４０の裏面に取り付ける構造としてもよい。
【００５１】
また、蓋体側導出部４４と取付部材４１（樹脂バンド４１ａ）との間には、電気ケーブル５０を両側から挟持して配線位置を決める位置決め部としての位置決めリブ４８，４８が、ねじ挿通用ボス４５，４５に隣接して対向配置されている。
【００５２】
一方、開口部３０は、図５に示すように、横長の矩形状に形成されており、左側の辺縁部３１には、高さ方向（図５では上下方向）の中央部に、蓋体４０のフック４２を係止する係止用溝３２が設けられている。
【００５３】
また、開口部３０の底面３３には、コネクタ用開口部３４が設けられており、このコネクタ用開口部３４に、装置本体２の内部に配置されている回路基板６０の基板側コネクタ６１ａ，６１ｂ（第１装置側コネクタの一例）が位置して開口部３０内に露出するように設けられている。
【００５４】
また、開口部３０の底面３３には、右側の辺縁部３５近傍の上下２箇所に、ねじ止め用開口部３６が設けられており、このねじ止め用開口部３６に、装置本体２の内部に配置されている金属フレーム６５に形成されたねじ孔６６がそれぞれ対向配置されている。すなわち、ねじ止め用開口部３６は、蓋体４０を開口部３０に取り付けたとき、蓋体４０裏面の上下２箇所に立設されたねじ挿通用ボス４５と対峙し、金属フレーム６５に形成されたねじ孔６６は、ねじ挿通用ボス４５のねじ挿通孔４５ａと対峙するように配置されている。
【００５５】
このように、本実施形態では、蓋体４０を開口部３０に取り付け固定する取付部として、フック４２とねじ挿通用ボス４５との組み合わせとしている。これにより、ねじ固定は、ねじ挿通用ボス４５が設けられた蓋体４０の他方の辺縁部４０ｂ側だけでよいので、開口部３０への蓋体４０の取り付け作業が簡単になる。また、他方の辺縁部４０ｂ側がねじ固定であるので、何らかの外力が加わったとしても、蓋体４０自体が開口部３０に強固に固定されるため、回路基板６０や基板側コネクタ６１ａ，６１ｂが破損する心配はない。
【００５６】
なお、図５中の符号３８は、電気ケーブル５０の先端に設けられたアース端子５１ｃを接続するアースねじである。
【００５７】
また、係止用溝３２が設けられた辺縁部３１と対向する右側の辺縁部３５の略中央部には、電気ケーブル５０を開口部３０内から外部に導出（または外部から開口部３０内に導入）するための凹状に形成（半すり鉢形状に形成）された開口側導出部（ケーブル導出部）３９が形成されている。
【００５８】
次に、上記構成の蓋体４０と開口部３０とを用いたケーブル接続装置におけるケーブル接続手順について説明する。
【００５９】
まず、自動原稿送り装置３から導出された電気ケーブル５０の先端部に蓋体４０を取付部材にて取り付ける。すなわち、図８に示すように、略Ｕ字状に形成された樹脂バンド４１ａによって電気ケーブル５０の先端部を横から挟み込み、その両先端部を合わせるようにして、両先端部に設けられたねじ挿通孔４１ｂにねじ部材７０を挿通し、蓋体４０の裏面に設けられたねじ受け部４６にねじ込むことによって、電気ケーブル５０を蓋体４０の裏面に取り付け固定する。このとき、図３に示すように、蓋体側導出部４４と樹脂バンド４１ａとの間に位置する電気ケーブル５０は、位置決めリブ４８，４８間に挟み込むようにして、位置決めを行う。すなわち、蓋体４０から外部に導出される電気ケーブル５０が、蓋体側導出部４４を通るように配線する。
【００６０】
次に、この状態で、図６に示すように、電気ケーブル５０の先端に設けられたケーブル側コネクタ５１ａ，５１ｂを基板側コネクタ６１ａ，６１ｂに接続する。
【００６１】
次に、この状態で、蓋体４０のフック４２を開口部３０の係止用溝３２に横から係止し、この係止部を支点として蓋体４０を開口部３０側に押し込むようにして、蓋体４０を開口部３０に添設する。このとき、電気ケーブル５０は、略半円弧形状の蓋体側導出部４４と、これに対向する略半円弧形状の開口側導出部３９とで略円弧形状（または横長の楕円形状）に形成された導出部に沿って導出され、無理なく湾曲される。また、この状態では、図７に示すように、蓋体４０のねじ挿通用ボス４５の先端が、開口部３０の底面３３に形成されたねじ止め用開口部３６を通って、金属フレーム６５に形成されたねじ孔６６と対峙する。
【００６２】
従って、この状態において、蓋体４０の表面側から、ねじ挿通用ボス４５のねじ挿通孔４５ａにねじ部材７１を挿通し、金属フレーム６５のねじ孔６６にねじ込んで固定することで、蓋体４０を開口部３０に固定する。図７からも分かるように、蓋体４０を開口部３０に取り付けたとき、電気ケーブル５０は、蓋体４０のフック（係合部）４２よりねじ挿通用ボス（固定部）４５寄りの縁部から外部に導出されている。
【００６３】
なお、電気ケーブル５０の接続を取り外す場合は、上記と逆の手順で開口部３０から蓋体４０を取り外せばよい。
【００６４】
本実施形態の電気ケーブル接続装置によれば、例えば自動原送り装置３を装置本体２から取り外す場合、装置本体２の筐体背面２ａに設けられている背面板２ｂ（図２参照）を取り外すことなく、蓋体４０のみを開口部３０から取り外すことで、蓋体４０に取り付けられている電気ケーブル５０のケーブル側コネクタ５１ａ，５１ｂを基板側コネクタ６１ａ，６１ｂから容易に取り外すことができる。また、電気ケーブル５０は取付部材４１である樹脂バンド４１ａによって蓋体４０に取り付けられているので、外部に露出している電気ケーブル５０に何らかの外力が加わったとしても、その外力はまず蓋体４０の取付部材４１である樹脂バンド４１ａに加わり、次にねじ挿通用ボス４５のねじ挿通孔４５ａと金属フレーム６５のねじ孔６６とによるねじ固定部に加わるので、ケーブル側コネクタ５１ａ，５１ｂと基板側コネクタ６１ａ，６１ｂとの接続部には直接加わることはない。従って、回路基板６０や基板側コネクタ６１ａ，６１ｂが破損する心配はない。
【００６５】
また、自動原稿送り装置３を装置本体２に搭載する場合も、電気ケーブル５０に蓋体４０が取り付けられた自動原稿送り装置３を装置本体２に搭載し、この後、蓋体４０付きのケーブル側コネクタ５１ａ，５１ｂを基板側コネクタ６１ａ，６１ｂに接続して、蓋体４０を開口部３０に取り付け固定するだけでよいので、取り付け作業も簡単である。
【００６６】
また、上記接続手順では、蓋体４０を開口部３０に取り付けるだけで、電気ケーブル５０も固定することができる。すなわち、ケーブル側コネクタ５１ａ，５１ｂを基板側コネクタ６１ａ，６１ｂに接続した後、電気ケーブル５０を装置本体２に取り付ける工程を省くことができるため、その分、接続工程を簡略化することができる。
【００６７】
また、本実施形態のケーブル接続装置よれば、ねじ挿通用ボス４５は、電気ケーブル５０を跨いで両側に配置されている。このように、ねじ挿通用ボス４５を、蓋体側導出部４４の近傍において、電気ケーブル５０を跨ぐように両側で金属フレーム６５に固定する構造とすることで、外力に対する電気ケーブル５０の固定力をより強固なものとすることができる。
【００６８】
また、本実施形態の電気ケーブル接続装置によれば、蓋体側導出部４４とねじ挿通用ボス４５との間に、電気ケーブル５０の配線位置を決める位置決めリブ４８が設けられた構成としている。このように、位置決めリブ４８を設けることにより、電気ケーブル５０を蓋体４０の裏面に正しく位置決めすることができる。
【００６９】
なお、上記実施形態では、電気ケーブル５０は、自動原稿送り装置３の背面左側から導出し、横方向に引き回して装置本体２の背面右側の開口部３０に折り返すようにして導入しているが、電気ケーブル５０をどのように引き回すかは、装置本体２側に設けられている回路基板の位置や、自動原稿送り装置３からの電気ケーブル５０の導出位置によって異なる。例えば、自動原稿送り装置３の電気ケーブル５０の導出位置と、装置本体２側の回路基板の配置位置とが上下に対峙しているような場合には、電気ケーブル５０は、単純に上から下に半円弧を描くように引き回せばよい。この場合、蓋体４０と開口部３０の配置状態も、図２に示す状態から時計方向に９０°回転させた状態とすればよい。
【００７０】
また、上記実施形態では、本発明を画像形成装置に適用した場合について説明しているが、画像形成装置に限定されるものではなく、第１装置と第２装置とが外部に導出された出力ケーブルによって電気的に接続される構成の全ての装置に適用可能である。
【００７１】
すなわち、今回開示した実施形態はすべての点で例示であって、限定的な解釈の根拠となるものではない。従って、本発明の技術的範囲は、上記した実施形態のみによって解釈されるものではなく、特許請求の範囲の記載に基づいて画定される。また、特許請求の範囲と均等の意味及び範囲内でのすべての変更が含まれる。
【符号の説明】
【００７２】
１  画像形成装置
２  装置本体（第１装置：他方の装置）
２Ａ  スキャナ部
２Ｂ  画像形成部
２ａ  筐体背面
２ｂ  背面板
３  自動原稿送り装置（第２装置：一方の装置）
４  原稿載置台
５  露光ユニット
６  帯電器
７  現像器
８  感光体
９  クリーナユニット
１０  中間転写ベルトユニット
１１  中間転写ベルト
３０  開口部
３１  左側の辺縁部
３２  係止用溝
３３  底面
３４  コネクタ用開口部
３５  右側の辺縁部
３６  ねじ止め用開口部
３８  アースねじ
３９  開口側導出部
４０  蓋体
４０ａ  一方の辺縁部
４０ｂ  他方の辺縁部
４１  取付部材
４１ａ  樹脂バンド
４１ｂ  ねじ挿通孔
４２  フック（係合部の一例）
４４  蓋体側導出部
４５  ねじ挿通用ボス（固定部の一例）
４５ａ  ねじ挿通孔
４８  位置決めリブ（位置決め部の一例）
５０  電気ケーブル
５１ａ，５１ｂ  ケーブル側コネクタ
５１ｃ  アース端子
６０  回路基板
６１ａ，６１ｂ  基板側コネクタ（第１装置側コネクタの一例）
６５  金属フレーム
６６  ねじ孔（固定孔の一例）
７０，７１  ねじ部材
８３  ランプユニット
８４〜８６  ミラー
８７  レンズユニット
８８  ＣＣＤセンサ
【図１】
2020061566.tif 000003
【図２】
2020061566.tif 000004
【図３】
2020061566.tif 000005
【図４】
2020061566.tif 000006
【図５】
2020061566.tif 000007
【図６】
2020061566.tif 000008
【図７】
2020061566.tif 000009
【図８】
2020061566.tif 000010
【図９】
2020061566.tif 000011